(57)【要約】  貼付型深部体温計（１）を構成する演算処理部（４３）は、身体の体温フィードバック機構が働く限界の体温に応じて予め設定される基準温度と、第１熱抵抗体（３０１）の貼付面側の第１温度との第１差分値に基づいて、第１温度を補正する第１補正値を求めるとともに、第１温度と、第１熱抵抗体（３０１）の背面側の第２温度との第２差分値に基づいて、第１温度を補正する補正値である第２補正値を求める補正値取得部（４３１）と、第１温度を、第１補正値、及び、第２補正値により補正して深部体温を求める深部体温取得部（４３２）とを備える。
2020100815.tif 000002
【特許請求の範囲】
【請求項１】
生体に貼り付けて深部体温を測定する貼付型深部体温計において、
所定の熱抵抗を有する熱抵抗体と、
前記熱抵抗体の一方の面側に配置され、貼付面側の第１温度を検出する第１温度検出手段と、
前記第１温度よりも高い温度に設定された基準温度と、前記第１温度との差分値である第１差分値に基づいて、前記第１温度を補正する補正値である第１補正値を求める補正値取得手段と、
前記第１温度を、前記第１補正値により補正して深部体温を求める深部体温取得手段と、を備えることを特徴とする貼付型深部体温計。
【請求項２】
前記基準温度は、身体の体温フィードバック機構が働く限界の体温に応じて予め設定されることを特徴とする請求項１に記載の貼付型深部体温計。
【請求項３】
前記補正値取得手段は、前記第１差分値がゼロ以上の範囲で、前記第１差分値が大きくなるほど前記第１補正値が大きくなり、かつ、前記第１差分値が大きくなるほど前記第１補正値の増加割合が大きくなるように前記第１補正値を設定することを特徴とする請求項１又は２に記載の貼付型深部体温計。
【請求項４】
前記補正値取得手段は、前記第１差分値と前記第１補正値との関係を定めた第１関数を用いて、前記第１差分値から前記第１補正値を求め、
前記第１関数は、前記第１差分値がゼロ以上の範囲で、一階微分がゼロ以上となり、かつ、二階微分がゼロ以上となることを特徴とする請求項１〜３のいずれか１項に記載の貼付型深部体温計。
【請求項５】
前記熱抵抗体の他方の面側に配置され、背面側の第２温度を検出する第２温度検出手段をさらに備え、
前記補正値取得手段は、前記第１温度と、前記第２温度との差分値である第２差分値に基づいて、前記第１温度を補正する補正値である第２補正値をさらに求め、
前記深部体温取得手段は、前記第１温度を、前記第１補正値、及び、前記第２補正値により補正して深部体温を求めることを特徴とする請求項１〜４のいずれか１項に記載の貼付型深部体温計。
【請求項６】
前記補正値取得手段は、前記第２差分値がゼロ以上の範囲で、前記第２差分値が大きくなるほど前記第２補正値が大きくなり、かつ、前記第２差分値が大きくなるほど前記第２補正値の増加割合が小さくなるように前記第２補正値を設定することを特徴とする請求項５に記載の貼付型深部体温計。
【請求項７】
前記補正値取得手段は、前記第２差分値と前記第２補正値との関係を定めた第２関数を用いて、前記第２差分値から前記第２補正値を求め、
前記第２関数は、前記第２差分値がゼロ以上の範囲で、一階微分がゼロ以上となり、かつ、二階微分がゼロ以下となることを特徴とする請求項５又は６に記載の貼付型深部体温計。
【請求項８】
前記補正値取得手段は、前記第１温度の時間変化づいて、前記第２差分値を補正する第３補正値をさらに求めるとともに、該第３補正値により補正された補正後の第２差分値に基づいて、前記第１温度を補正する第４補正値を求め、
前記深部体温取得手段は、前記第１温度を、前記第１補正値、及び、前記第４補正値により補正して深部体温を求めることを特徴とする請求項５〜７のいずれか１項に記載の貼付型深部体温計。
【請求項９】
前記補正値取得手段は、前記第１温度の単位時間当たりの上昇量が大きくなるほど前記第３補正値が大きくなるように前記第３補正値を設定するとともに、前記第３補正値により補正された補正後の第２差分値が大きくなるほど前記第４補正値が大きくなり、かつ、前記第３補正値により補正された補正後の第２差分値が大きくなるほど前記第２補正値の増加割合が小さくなるように前記第４補正値を設定することを特徴とする請求項８に記載の貼付型深部体温計。
【請求項１０】
前記補正値取得手段は、前記第１温度の時間変化と前記第３補正値との関係を定めた第３関数を用いて、前記第１温度の時間変化から前記第３補正値を求めるとともに、前記第３補正値により補正された補正後の第２差分値と、前記第４補正値との関係を定めた第４関数を用いて、補正後の第２差分値から前記第４補正値を求め、
前記第３関数は、前記第１温度の単位時間当たりの上昇量の増加に対して単調増加し、
前記第４関数は、補正後の前記第２差分値がゼロ以上の範囲で、一階微分がゼロ以上となり、かつ、二階微分がゼロ以下となることを特徴とする請求項８又は９に記載の貼付型深部体温計。
【請求項１１】
前記熱抵抗体の他方の面側に配置され、背面側の第２温度を検出する第２温度検出手段をさらに備え、
前記補正値取得手段は、前記基準温度と、前記第２温度との差分値である第３差分値に基づいて、前記第１温度を補正する補正値である第５補正値をさらに求め、
前記深部体温取得手段は、前記第１温度を、前記第１補正値、及び、前記第５補正値により補正して深部体温を求めることを特徴とする請求項１又は２に記載の貼付型深部体温計。
【請求項１２】
前記補正値取得手段は、前記第３差分値がゼロ以上の範囲で、前記第３差分値が大きくなるほど前記第５補正値が大きくなり、かつ、前記第３差分値が大きくなるほど前記第５補正値の増加割合が小さくなるように前記第５補正値を設定することを特徴とする請求項１１に記載の貼付型深部体温計。
【請求項１３】
前記補正値取得手段は、前記第３差分値と前記第５補正値との関係を定めた第５関数を用いて、前記第３差分値から前記第５補正値を求め、
前記第５関数は、前記第３差分値がゼロ以上の範囲で、一階微分がゼロ以上となり、かつ、二階微分がゼロ以下となることを特徴とする請求項１１又は１２に記載の貼付型深部体温計。
【請求項１４】
前記補正値取得手段は、前記第１温度の時間変化に基づいて、前記第１差分値を補正する第６補正値をさらに求めるとともに、該第６補正値により補正された補正後の第１差分値に基づいて、前記第１温度を補正する第７補正値を求め、かつ、前記第２温度の時間変化に基づいて、前記第３差分値を補正する第８補正値をさらに求めるとともに、該第８補正値により補正された補正後の第３差分値に基づいて、前記第１温度を補正する第９補正値を求め、
前記深部体温取得手段は、前記第１温度を、前記第７補正値、及び、前記第９補正値により補正して深部体温を求めることを特徴とする請求項１１〜１３のいずれか１項に記載の貼付型深部体温計。
【請求項１５】
前記補正値取得手段は、前記第１温度の単位時間当たりの上昇量が大きくなるほど前記第６補正値が大きくなるように前記第６補正値を設定するとともに、前記第６補正値により補正された補正後の第１差分値が大きくなるほど前記第７補正値が大きくなり、かつ、前記第６補正値により補正された補正後の第１差分値が大きくなるほど前記第７補正値の増加割合が大きくなるように前記第７補正値を設定し、
かつ、前記第２温度の単位時間当たりの上昇量が大きくなるほど前記第８補正値が大きくなるように前記第８補正値を設定するとともに、前記第８補正値により補正された補正後の第３差分値が大きくなるほど前記第９補正値が大きくなり、かつ、前記第８補正値により補正された補正後の第３差分値が大きくなるほど前記第９補正値の増加割合が小さくなるように前記第９補正値を設定することを特徴とする請求項１４に記載の貼付型深部体温計。
【請求項１６】
前記補正値取得手段は、前記第１温度の時間変化と前記第６補正値との関係を定めた第６関数を用いて、前記第１温度の時間変化から前記第６補正値を求めるとともに、前記第６補正値により補正された補正後の第１差分値と前記第７補正値との関係を定めた第７関数を用いて、前記第６補正値により補正された補正後の第１差分値から前記第７補正値を求め、
かつ、前記第２温度の時間変化と前記第８補正値との関係を定めた第８関数を用いて、前記第２温度の時間変化から前記第８補正値を求めるとともに、前記第８補正値により補正された補正後の第３差分値と前記第９補正値との関係を定めた第９関数を用いて、前記第８補正値により補正された補正後の第３差分値から前記第９補正値を求め、
前記第６関数は、前記第１温度の単位時間当たりの上昇量の増加に対して単調増加し、
前記第８関数は、前記第２温度の単位時間当たりの上昇量の増加に対して単調増加することを特徴とする請求項１４又は１５に記載の貼付型深部体温計。
【請求項１７】
前記熱抵抗体、前記第１温度検出手段、及び、前記第２温度検出手段を有して構成されるセンシング部を２組備え、
それぞれの前記センシング部を構成する熱抵抗体は熱抵抗値が互いに異なり、
前記補正値取得手段は、２組の前記センシング部それぞれについて、前記補正値を求め、
前記深部体温取得手段は、２組の前記センシング部それぞれについて、前記補正値を用いて、２組の仮の深部体温を求め、該２組の仮の深部体温に基づいて、深部体温を求めるとともに、該深部体温の確からしさを求めることを特徴とする請求項５〜１６のいずれか１項に記載の貼付型深部体温計。
【発明の詳細な説明】
【技術分野】
【０００１】
本発明は、生体に貼り付けて深部体温を測定する貼付型深部体温計に関する。
【背景技術】
【０００２】
従来から、体表面に貼り付けて、連続的に体温を測定して体温データを取得する体温計が提案されている。例えば、特許文献１には、被検体の体表面に貼り付けて、被検体の深部体温を測定する非加熱型の深部体温計が開示されている。【０００３】
この深部体温計は、体表面と接触する一方側の面に第１の温度センサが配されるとともに、一方側の面と対向する他方側の面に第２の温度センサがそれぞれ配された第１及び第２の熱抵抗体と、第１及び第２の熱抵抗体の他方側の面のみを覆うように構成される均一化部材と、第１及び第２の熱抵抗体の側面を取り囲むように配された断熱部材と、周縁部分が断熱部材の他方側の面に固定され、中央部分が均一化部材との間に所定の空間をもって配された保護部材とを備えている。【０００４】
この深部体温計では、均一化部材が受ける外乱、すなわち、外部（体表面に接触する側と反対側）の急激な温度変化の影響を除去すべく、内部から外部への熱流は妨げず、かつ外部から均一化部材への外乱を遮断する構成とすることにより、測定精度を向上させている。
【先行技術文献】
【特許文献】
【０００５】
【特許文献１】特開２０１２−１５４８５９号公報
【発明の概要】
【発明が解決しようとする課題】
【０００６】
しかしながら、上述した深部体温計では、外部の急激な温度変化（外乱）以外の誤差要因については考慮されていない。例えば、皮膚内の血流の増減により周囲に移動する熱量が変動するが、上述した深部体温計では、このような皮膚内の熱移動などは考慮されていない。また、発汗すると汗が蒸発する際に気化熱で体表温が低下するが、深部体温計が貼付されている部分は周囲に比べて汗が蒸発しにくいため体表温の低下が小さくなる。そのため、周囲より温度が高くなり、皮膚の熱伝導及び血流により熱が周囲に移動が、上述した深部体温計では、このような皮膚内の熱移動も考慮されていない。そのため深部体温推定値が実際の値からずれるおそれがある。【０００７】
本発明は、上記問題点を解消する為になされたものであり、生体に貼り付けて深部体温を測定する貼付型深部体温計において、深部体温の測定精度をより向上させることが可能な貼付型深部体温計を提供することを目的とする。
【課題を解決するための手段】
【０００８】
本発明に係る貼付型深部体温計は、生体に貼り付けて深部体温を測定する貼付型深部体温計において、所定の熱抵抗を有する熱抵抗体と、熱抵抗体の一方の面側に配置され、貼付面側の第１温度を検出する第１温度検出手段と、第１温度よりも高い温度に応じて予め設定される基準温度と、第１温度との差分値である第１差分値に基づいて、第１温度を補正する補正値である第１補正値を求める補正値取得手段と、第１温度を、第１補正値により補正して深部体温を求める深部体温取得手段とを備えることを特徴とする。【０００９】
本発明に係る貼付型深部体温計によれば、熱抵抗体の貼付面側の第１温度が検出され、第１温度よりも高い温度に予め設定された基準温度と、第１温度との第１差分値に基づいて、第１温度を補正する第１補正値が求められ、第１温度が、第１補正値により補正されて深部体温が求められる。ここで、第１温度よりも高い温度に設定された基準温度と、貼付面側（体表面側）の第１温度との第１差分値をパラメータとすることにより、例えば、体表面からの放熱が増大して第１温度（体表温）が上昇し、体表温が深部体温に近づくと、第１差分値が小さくなる。よって、その場合には、第１補正値を小さくすることにより、測定精度を向上することができる。一方、体表面からの放熱が減少して第１温度（体表温）が低下し、体表温が深部体温から離れると、第１差分値が大きくなる。よって、その場合には、第１補正値を大きくすることにより、測定精度を向上することができる。このように、汗や血流での体温調整の生理反応を考慮できるようになり、実際の深部体温との一致性を高めることができる。よって、比較的簡便な演算により精度よく深部体温を求めることができる。
【発明の効果】
【００１０】
本発明によれば、生体に貼り付けて深部体温を測定する貼付型深部体温計において、深部体温の測定精度をより向上させることが可能となる。
【図面の簡単な説明】
【００１１】
【図１】第１実施形態に係る貼付型深部体温計の外観を示す平面図、及び、底面図である。
【図２】第１実施形態に係る貼付型深部体温計の構成を示す断面図である。
【図３】第１実施形態に係る貼付型深部体温計を構成する処理部の機能構成を示すブロック図である。
【図４】補正値を求める第１関数ｆの一例を示す図である。
【図５】補正値を求める第２関数ｇの一例を示す図である。
【図６】第１温度（Ｔ１）、第２温度（Ｔ２）、深部体温（推定値）、食道温の測定結果の一例を示す図である。
【図７】深部体温（推定値）と食道温との関係（相関）の一例を示す図である。
【図８】第１実施形態の第１変形例に係る貼付型深部体温計を構成する処理部の機能構成を示すブロック図である。
【図９】第１実施形態の第２変形例に係る貼付型深部体温計を構成する処理部の機能構成を示すブロック図である。
【図１０】第１実施形態の第３変形例に係る貼付型深部体温計を構成する処理部の機能構成を示すブロック図である。
【図１１】第１実施形態の第４変形例に係る貼付型深部体温計を構成する処理部の機能構成を示すブロック図である。
【図１２】第２実施形態に係る貼付型深部体温計を構成する処理部の機能構成を示すブロック図である。
【図１３】第１温度（Ｔ１）、第２温度（Ｔ２）、第３温度（Ｔ３）、第４温度（Ｔ４）、深部体温（推定値）、食道温の測定結果の一例を示す図である。
【図１４】第１温度（Ｔ１）、深部体温（推定値）、食道温の測定結果の一例を示す図である。
【図１５】深部体温（推定値）と食道温との関係（相関）の一例を示す図である。
【発明を実施するための形態】
【００１２】
以下、図面を参照して本発明の好適な実施形態について詳細に説明する。なお、図中、同一又は相当部分には同一符号を用いることとする。また、各図において、同一要素には同一符号を付して重複する説明を省略する。
【００１３】
まず、図１〜図３を併せて用いて、実施形態に係る貼付型深部体温計（以下、単に「深部体温計」又は「体温計」ということもある）１の構成について説明する。図１は、貼付型深部体温計１の外観を示す平面図、及び、底面図である。図２は、貼付型深部体温計１の構成を示す断面図（図１のＩＩ−ＩＩ線に沿った断面図）である。図３は、貼付型深部体温計１を構成する処理部４１の機能構成を示すブロック図である。
【００１４】
深部体温計１は、第１温度センサ７０１（請求の範囲に記載の第１温度検出手段に相当）と第２温度センサ７０２（第２温度検出手段に相当）により検出された温度、及び／又は、第３温度センサ７０３と第４温度センサ７０４により検出された温度に基づいて、使用者（被検者）の深部からの熱流量を求め、深部体温を取得する非加熱型の深部体温計である。また、深部体温計１は、使用者（被験者）の体表面に貼り付けて、連続的に体温を測定して体温データを取得する貼付型（パッチ型）の深部体温計である。
【００１５】
深部体温計１は、主として、上外装体１０、下外装体２０、体温測定部１５、内張り部材８０、緩衝部材９０、及び、貼付部材６０を備えて構成されている。また、体温測定部１５は、主として、熱抵抗体層３０、第２温度センサ７０２、第４温度センサ７０４が実装された配線基板４０、第１温度センサ７０１、第３温度センサ７０３が実装されたフレキシブル基板５０を有して構成されている。
【００１６】
上外装体１０は、例えば、防水性及び保温性を有する独立気泡又は半独立気泡の発泡素材から形成される。上外装体１０は、外気温の急激な変動（変化）により体温測定部１５の温度が局所的に変化することを防ぐために、熱伝導率の低い発泡素材を用いることが好ましい。なお、素材としては、例えば、ポリウレタンや、ポリスチレン、ポリオレフィン等が好適に用いられる。また、上外装体１０の加工方法としては、例えば、真空成形が好適に用いられる。上外装体１０は、体温測定部１５（熱抵抗体層３０、配線基板４０、フレキシブル基板５０など）を収納できるように、断面が略ハット状に形成されている。そのため、発泡素材によって熱抵抗体層３０の側面が覆われ、熱抵抗体層３０の側面が外気に曝されることが防止される。
【００１７】
下外装体２０は、例えば、防水性を有し（水分透過性が低く）、かつ、上外装体１０よりも熱伝導率が高い非発泡性樹脂フィルムから形成される。素材としては、例えば、ポリプロピレン、ポリエチレン、ポリエステル、ポリイミドなどが挙げられ、特に、ポリエチレンテレフタラートが好適に用いられる。下外装体２０は、第１温度センサ７０１、第３温度センサ７０３が取り付けられたフレキシブル基板５０（体温測定部１５）を密着して固定できるように、平面状（フラット）に形成されている。なお、体温測定部１５と下外装体２０との間に隙間ができると熱抵抗が変わり、熱流束に影響するため、体温測定部１５と下外装体２０とは、両面テープで貼り合わせる方法や、接着剤で固定する方法などにより、密着して固定することが好ましい。上外装体１０と下外装体２０のサイズ（外形寸法）は、同一又は略同一となるように形成されており、例えば、縦４０〜１００ｍｍ、横２０〜６０ｍｍ程度の大きさに形成される。
【００１８】
そして、断面が略ハット状に形成された上外装体１０の周縁部と、平面状に形成された下外装体２０の周縁部とは、例えば、両面テープでの貼り合わせ、接着剤での固定、又は、ヒートシールなどによって、密着して固定される。なお、防水性能を実現するため、上外装体１０と下外装体２０を密着固定する部分は、平坦で、しわがよりにくい構造であることが望ましい。すなわち、下外装体２０の外縁部が平坦で、対向する上外装体１０の外縁部も平坦であり、それらを貼り合わせて密着固定することが好ましい。このようにすれば、密着固定部に均一に力がかかるため、しわがよるなどの防水性能に悪影響を及ぼす問題が発生しにくくなる。
【００１９】
体温測定部１５は、図２に示されるように、下外装体２０側から順に、フレキシブル基板５０、熱抵抗体層３０、配線基板４０の順に積層されて構成される。
【００２０】
熱抵抗体層３０は、２つの熱流束を形成するために、熱抵抗値が異なる２つの熱抵抗体、すなわち、第１熱抵抗体３０１、及び、第２熱抵抗体３０２を有している。第１熱抵抗体３０１には、第２熱抵抗体３０２よりも熱伝導率が低い（熱抵抗値が高い）素材、例えば、ポリウレタンやポリスチレン、ポリオレフィン等の発泡プラスチック（フォーム材）が好適に用いられる。ただし、発泡状でないプラスチックやゴムなども用いることができる。第２熱抵抗体３０２には、第１熱抵抗体３０１よりも熱伝導率が高い（熱抵抗値が低い）素材、例えば、ポリプロピレンやポリエチレン、アクリルやポリカーボネート、エポキシ樹脂等のプラスチック類が好適に用いられる。なお、ここで、銅やアルミなどの金属の熱伝導率が１００［Ｗ／ｍ／Ｋ］以上であるのに対し、ポリプロピレンやポリエチレン、アクリルやポリカーボネート、エポキシ樹脂等のプラスチック類の熱伝導率は、約０．１〜０．５［Ｗ／ｍ／Ｋ］程度であり、３桁程小さい。発泡プラスチックの熱伝導率はさらに１桁近く小さい。空気の熱伝導率はさらに小さく０．０２４［Ｗ／ｍ／Ｋ］である。第１熱抵抗体３０１と、第２熱抵抗体３０２とは、配線基板４０やフレキシブル基板５０と積層可能とすることによる低コスト化を図るため、厚みが略同一となるように形成されている。
【００２１】
熱抵抗体層３０を構成する第１熱抵抗体３０１には、厚さ方向に貫通する第１貫通孔３０１ａが形成されている。同様に、熱抵抗体層３０を構成する第２熱抵抗体３０２には、厚さ方向に貫通する第２貫通孔３０２ａが形成されている。第１貫通孔３０１ａは、平面視した場合に、第１温度センサ７０１、第２温度センサ７０２が内側に納まるように形成されている。すなわち、第１貫通孔３０１ａの内部（内側）には、対となる第１温度センサ７０１と第２温度センサ７０２とが第１熱抵抗体３０１の厚さ方向に沿って配置される。同様に、第２貫通孔３０２ａは、平面視した場合に、第３温度センサ７０３、第４温度センサ７０４が内側に納まるように形成されている。すなわち、第２貫通孔３０２ａの内部（内側）には、対となる第３温度センサ７０３と第４温度センサ７０４とが第２熱抵抗体３０２の厚さ方向に沿って配置される。
【００２２】
ここで、第１温度センサ７０１〜第４温度センサ７０４（以下、総括的に、「温度センサ７０」ということもある）としては、例えば、温度によって抵抗値が変化するサーミスタや測温抵抗体などが好適に用いられる。なお、温度センサ７０は、応答性を高める観点から、できるだけ熱容量が小さいことが好ましい。よって、温度センサ７０としては例えばチップサーミスタが好適に用いられる。第１温度センサ７０１〜第４温度センサ７０４それぞれは、プリント配線を介して、後述する処理部４１（処理回路）と電気的に接続されており、温度に応じた電気信号（電圧値）が処理部４１で読み込まれる。
【００２３】
ところで、熱流式の深部体温計１のサイズを小さくするためには、熱抵抗体層３０（第１熱抵抗体３０１、第２熱抵抗体３０２）を小さくすることが重要になるが、熱抵抗体層３０（第１熱抵抗体３０１、第２熱抵抗体３０２）を小さくすると、対となる温度センサ７０の出力値の差が小さくなるため、測定誤差が大きくなるおそれがある。ここで、温度センサ７０（チップサーミスタ）は略直方体であり厚さがあるため、熱抵抗体層３０（第１熱抵抗体３０１、第２熱抵抗体３０２）が薄くなるとその厚さを無視できなくなる。温度センサ７０が熱抵抗体層３０（第１熱抵抗体３０１、第２熱抵抗体３０２）の側面に接触していると、その接触箇所から熱が伝達されるため、温度センサ７０の温度（検出値）が熱抵抗体層３０（第１熱抵抗体３０１、第２熱抵抗体３０２）の表面温度からずれた温度（値）になるおそれがある。そこで（その影響を低減するため）、温度センサ７０周囲の熱抵抗体層３０（第１熱抵抗体３０１、第２熱抵抗体３０２）に貫通孔３０１ａ，３０２ａを形成し、温度センサ７０が熱抵抗体層３０（第１熱抵抗体３０１、第２熱抵抗体３０２）の側面に接触しない構造とした。
【００２４】
配線基板４０は、例えば、ガラスエポキシ基板のようなリジッド基板である。配線基板４０には、第１温度センサ７０１〜第４温度センサ７０４それぞれの出力信号を処理して深部体温データを取得する処理部４１（処理回路）が実装されている。また、配線基板４０には、取得した深部体温データを送信（出力）する無線通信部４０３、及び、処理部４１や無線通信部４０３に電力を供給するコイン電池４０４が実装されている。処理部４１は、主として、温度入力部４２（温度入力回路）と、演算処理部４３（演算処理回路）とを有している。温度入力部４２は、温度センサ７０の検出信号（出力電圧）を読み込むため、例えば、増幅器（例えばオペアンプ）やアナログ／デジタル・コンバータ（Ａ／Ｄコンバータ）などを含んで構成されている。温度入力部４２は、各温度センサ７０から出力されたアナログ信号を増幅して、デジタル信号に変換し、演算処理部４３に出力する。
【００２５】
演算処理部４３は、例えば、ＭＣＵ（Ｍｉｃｒｏ  Ｃｏｎｔｒｏｌ  Ｕｎｉｔ）や、ＥＥＰＲＯＭ、ＲＡＭ等により構成され、読み込まれた温度データから深部体温を算出する。詳細は後述する。
【００２６】
配線基板４０の下面には、第１熱抵抗体３０１の上面（外気側）の温度を取得する第２温度センサ７０２、第２熱抵抗体３０２の上面（外気側）の温度を検出する第４温度センサ７０４が実装されている。より詳細には、配線基板４０の下面には、周辺の温度分布を均一化する一対の熱均一化パターンが形成されており、第２温度センサ７０２の一方の電極が一方の熱均一化パターンに接続され、第４温度センサ７０４の一方の電極が他方の熱均一化パターンに接続されている。一対の熱均一化パターンは、例えば、金属膜のような熱伝導率が高い材料で形成される。
【００２７】
また、外気温などの影響によって配線基板４０の一部の温度のみが変化してしまうことを防止するため、第２温度センサ７０２、第４温度センサ７０４が実装されている配線層の背面側（外気側）に、外気温の温度分布の影響を熱的に均一化する熱伝導率の高い均一化部材（金属膜）を設けることが好ましい。ここで、均一化部材としては、金属箔や金属薄板などを使用してもよいが、配線基板４０に形成される配線層と同様に、配線基板４０（多層リジッド基板）の内層の配線パターン（ベタパターン）として形成することが望ましい。その場合、均一化部材として使用する内層の配線パターンはグランドパターンでもよいが、電気回路とは接続されておらず電流が流れない独立パターンであることが好ましい。
【００２８】
無線通信部４０３は、取得された深部体温データ等を外部の管理機器・管理システムや管理者・監督者の携帯端末（例えばスマートフォン等）に送信する。ここで、無線通信部４０３は、例えば、Ｂｌｕｅｔｏｏｔｈ（登録商標）などを用いて、外部の管理機器・管理システム３に深部体温データを送信する。一方、無線通信部４０３は、外部の管理機器・管理システムや情報端末から、例えば、外気温データなどを受信してもよい。
【００２９】
薄型のコイン電池（バッテリ）４０４は、上述した処理部４１及び無線通信部４０３などに電力を供給する。コイン電池４０４は、配線基板４０に実装された（取り付けられた）電池ホルダ９５に収納されている。電池ホルダ９５は、配線基板４０と内張り部材８０との間に配設される。すなわち、電池ホルダ９５は、内張り部材８０を支持するスペーサ部材を兼ねている。なお、体温測定部１５（深部体温計１）の平面積（貼り付け面積）を小さくするために、また、外気温の変化や無線通信部４０３の動作に伴う発熱の影響を防止するために、無線通信部４０３、及び、コイン電池４０４（電池ホルダ９５）は、配線基板４０を挟んで、温度センサ７０と反対側（上面側）に配設される。
【００３０】
配線基板４０の上面（主面）には、上外装体１０を介して使用者による電源のオン／オフ操作を受け付ける電源スイッチ４０６が実装されている。配線基板４０は、電源スイッチ４０６が上外装体１０の裏面（背面）と対向するように、上外装体１０と下外装体２０とにより画成される密閉空間内に収納される。電源スイッチ４０６としては、例えば、押しボタンスイッチやロッカースイッチなどが好適に用いられる。なお、押しボタンスイッチの場合には、指先を離してもオン状態を保持するオルタネイト動作のものが好ましい。また、電源スイッチ４０６としては、表面実装タイプのものが好ましいが、リードタイプのものを用いてもよい。
【００３１】
ここで、誤って（偶発的に）電源スイッチ４０６が押下されて電源がオン／オフされてしまうことを防止するために、また、電源スイッチ４０６が上外装体１０を押し上げないようにするために、電源スイッチ４０６は、上外装体１０と接触しないように配設されている。より具体的には、電源スイッチ４０６のボタン上面（天面）と上外装体１０の裏面（背面）との間隔は、例えば、０〜４ｍｍの範囲に設定されることが好ましく、０．５〜１．５ｍｍの範囲に設定されることがより好ましい。また、電源スイッチ４０６のストロークは、例えば、０．１〜１ｍｍの範囲に設定されることが好ましく、０．１〜０．３ｍｍの範囲に設定されることがより好ましい。
【００３２】
また、配線基板４０の上面には、使用者による操作や深部体温の測定状態（例えば、電源スイッチ４０６のオン／オフ、測定開始／終了、着脱状態等）に応じて点灯又は点滅するＬＥＤ４０５が実装されている。なお、ＬＥＤに代えて、例えば、ＶＣＳＥＬ等を用いてもよい。さらに、配線基板４０の下面側にはフレキシブル基板５０を電気的に接続するためのＦＰＣコネクタ４０７が取り付けられている。
【００３３】
フレキシブル基板５０は、例えば、ポリイミドやポリエステルなどから形成されており、可撓性を有する。フレキシブル基板５０には、第１熱抵抗体３０１の皮膚側の温度を取得する第１温度センサ７０１、第２熱抵抗体３０２の皮膚側の温度を取得する第３温度センサ７０３が実装されている。より詳細には、フレキシブル基板５０には、周辺の温度分布を均一化するために、一対の熱均一化パターンが形成されており、第１温度センサ７０１の一方の端子が一方の熱均一化パターンに接続され、第３温度センサ７０３の一方の端子が他方の熱均一化パターンに接続されている。一対の熱均一化パターンは、例えば、金属膜のような熱伝導率が高い材料で形成されている。第１温度センサ７０１、第３温度センサ７０３それぞれは、配線パターン及び、上記ＦＰＣコネクタ４０７を介して、配線基板４０（処理部４１）に接続されており、温度に応じた電気信号（電圧値）が処理部４１（温度入力部４２）で読み込まれる。なお、上述したように、下外装体２０、フレキシブル基板５０、熱抵抗体層３０、及び、配線基板４０は、熱流束を形成するため、間に隙間が生じないように、例えば、両面テープなどで密着して固定される。
【００３４】
上外装体１０の裏面（背面）、すなわち、上外装体１０と緩衝部材９０、電池ホルダ（スペーサ部材）９５との間には、後述する緩衝部材９０よりも薄い薄板状（シート状）に形成された内張り部材８０が配設されている。内張り部材８０は、上外装体１０のシワを抑制するために、一方の面が、例えば両面テープなどによって上外装体１０の裏面（背面）に貼り付けて取り付けられている。内張り部材８０は、例えば、可撓性を有するポリエチレンテレフタレート等の樹脂材料により、電源スイッチ４０６の操作方向（例えば押下方向）へのたわみ性を有するように（湾曲可能）に形成されている。なお、内張り部材８０は、金属薄板等から形成されていてもよい。
【００３５】
内張り部材８０には、平面視した場合に電源スイッチ４０６が内側に収まる貫通孔８０ａが厚み方向に形成されている。なお、貫通孔８０ａは、孔の周囲が完全に閉じられていてもよいし、完全には閉じられていなくてもよい。内張り部材８０の貫通孔８０ａは、指先がすべて入ってしまわないように指先の外径よりも小さく、かつ、電源スイッチ４０６を押せるように指先の腹が入る程度の大きさに形成されている。より具体的には、指先の外径は個人差があるため、貫通孔８０ａの内径は、例えば、１０〜２０ｍｍの範囲に設定することが好ましく、１３〜１６ｍｍの範囲に設定することがより好ましい。なお、上外装体１０の厚みが厚い場合（例えば２ｍｍ以上の場合）、上外装体１０の厚さに応じて貫通孔８０ａの内径を大きくすることが好ましい。
【００３６】
配線基板４０の上面（主面）と内張り部材８０との間には、緩衝性（クッション性）を有し、板状に形成された緩衝部材９０が配設されている。緩衝部材９０は、配線基板４０に実装された電源スイッチ４０６の配線基板４０の実装面からの高さ（背高）、及び、電子部品の配線基板４０の実装面からの高さ（背高）よりも厚く形成されている。緩衝部材９０は、例えば両面テープなどによって内張り部材８０の他方の面に貼り付けて取り付けられている。
【００３７】
緩衝部材９０には、平面視した場合に電源スイッチ４０６が内側に収まる貫通孔９０ａが厚み方向に形成されている。緩衝部材９０に形成された貫通孔（開口部）９０ａは、平面視した場合に内張り部材８０に形成された貫通孔（開口部）８０ａの内側に収まるように形成されて配設されている。すなわち、緩衝部材９０の貫通孔９０ａは、内張り部材８０の貫通孔８０ａよりも小さく形成されている。また、緩衝部材９０に形成された貫通孔９０ａ、及び、内張り部材８０に形成された貫通孔８０ａそれぞれは、略円形（例えば楕円形等も含む）に形成されており、かつ、それぞれの内径が、指先の外径よりも小さく設定（形成）されている。より具体的には、緩衝部材９０の開口部９０ａの内径は、例えば、８〜１８ｍｍの範囲に設定されることが好ましく、１１〜１４ｍｍの範囲に設定されることがより好ましい。なお、上外装体１０が厚い（例えば厚さ２ｍｍ以上）場合には、その厚さに応じて貫通孔９０ａの内径を大きくすることが好ましい。
【００３８】
貼付部材６０は、下外装体２０の外側の面に貼り付けられる第１接着層６０１、該第１接着層６０１に貼り付けられる通気性を有する通気層６０３（すなわち、水分を通す水分透過層）、及び、該通気層６０３に貼り付けられる第２接着層６０２を有して構成される。ところで、深部体温計１を皮膚に貼り付けて使用する場合、汗が皮膚と深部体温計１（下外装体２０）との間に長時間たまったままになると、皮膚が炎症を起こすおそれがあるが、貼付部材６０に水分を通す通気層６０３を設けることで、汗等での蒸れを抑制する。通気層６０３（水分透過層）としては、例えば、不織布を好適に用いることができる。なお、不織布に代えて、織物や編物の布を用いてもよい。また、紙や、木材、スポンジ／連続気泡の発泡材料などを用いてもよいし、体温測定部１５の中央から周縁に向かう溝や孔が形成されたプラスチックやゴム、金属の構造体を用いてもよい。
【００３９】
通気層６０３は空気を内部に含むため、通常、熱伝導率が低くなる。そのため、通気層６０３が皮膚との間にあると体温測定精度に影響する。そこで（安定して体温を測定するために、）皮膚の温度を測定する第１温度センサ７０１、第３温度センサ７０３、及び、これらに接続された熱均一化パターンと重なる領域には、通気層６０３を配置しないようにする。
【００４０】
ここで、通気層６０３に不織布を用いた場合を例にして説明する。不織布（通気層６０３）の両面には、生体適合性のある両面テープ（第１接着層６０１、第２接着層６０２）が貼り付けられる。通気層６０３及び第２接着層６０２には、平面視した場合に、第１温度センサ７０１、第３温度センサ７０３が内側に納まる貫通孔６０ａ，６０ｂが、厚み方向に形成されている。ここで、下外装体２０に貼り付けられる両面テープ（第１接着層６０１）には貫通孔を形成しないことが好ましい。なぜならば、貫通孔が形成されていると（すなわち第１接着層６０１がないと）下外装体２０が皮膚に密着しなくなり、測定精度が低下するおそれが生じるためである。
【００４１】
また、通常、両面テープ（第２接着層６０２）は、不織布（通気層６０３）よりも水分透過性が悪いため、少なくとも第２接着層６０２には、厚み方向に形成された複数の貫通孔６０ｃを形成することが好ましい。その場合、例えば、直径１〜１０ｍｍ程度の貫通孔６０ｃを２〜２０ｍｍ程度の間隔で配置することが好ましい。
【００４２】
上述したように、演算処理部４３（演算処理回路）は、例えば、ＭＣＵ（Ｍｉｃｒｏ  Ｃｏｎｔｒｏｌ  Ｕｎｉｔ）や、ＥＥＰＲＯＭ、ＲＡＭ等により構成され、温度入力部４２（温度入力回路）を介して読み込まれた各温度センサ７０の検出値（温度データ）に基づいて深部体温を算出する。また、演算処理部４３は、算出した深部体温データ等をＲＡＭなどのメモリに記憶させる。さらに、演算処理部４３は、算出した深部体温データ等を無線通信部４０３に出力することにより、外部の管理機器・管理システム等に無線で出力（送信）する。
【００４３】
特に、演算処理部４３は、深部体温の測定精度をより向上させる機能を有している。そのため、演算処理部４３は、補正値取得部４３１、深部体温取得部４３２を機能的に備えている。演算処理部４３では、ＥＥＰＲＯＭ等に記憶されているプログラムがＭＣＵによって実行されることにより、補正値取得部４３１、深部体温取得部４３２の機能が実現される。
【００４４】
まず、始めに、第１温度センサ７０１により検出された第１温度（Ｔ１）、第２温度センサ７０２により検出された第２温度（Ｔ２）、第３温度センサ７０３により検出された第３温度（Ｔ３）、及び、第４温度センサ７０４により検出された第４温度（Ｔ４）のうち、第１温度（Ｔ１）と第２温度（Ｔ２）を用いて深部体温を求める構成について説明する。
【００４５】
補正値取得部４３１は、例えば、身体の体温フィードバック機構が働く限界の体温に応じて、第１温度（Ｔ１）よりも高い温度に予め設定される基準温度（Ｔ０）と、第１温度（Ｔ１）との差分値である第１差分値（Ｔ０−Ｔ１）に基づいて、第１温度を補正する補正値である第１補正値を求める。すなわち、補正値取得部４３１は、請求の範囲に記載の補正値取得手段として機能する。
【００４６】
ここで、基準温度（Ｔ０）は、例えば、運動など体温が上昇する条件において、第１温度（Ｔ１）と深部体温とを実測し、双方の関係に基づいて（すなわち、第１温度（Ｔ１）と深部体温の実測値とを比較することにより）設定される。その際に、基準温度（Ｔ０）は、安静時の深部体温以上の値に設定することが好ましい。すなわち、汗や血流での体温調整の生理反応のフィードバックは運動時等のように深部体温が安静時より上昇しても働くため、基準温度（Ｔ０）を安静時の深部体温以上の値に設定することが好ましい。そのため、基準温度（Ｔ０）としては、例えば、３９〜５０（℃）の範囲に設定することが好ましい。特に、基準温度（Ｔ０）としては、４０〜４５（℃）の範囲に設定することがより好ましい。なぜならば、基準温度（Ｔ０）を生体の体温調節機能が働く上限とみなすためである。なお、本実施形態では、基準温度（Ｔ０）を４２（℃）に設定した。
【００４７】
補正値取得部４３１は、第１差分値（Ｔ０−Ｔ１）がゼロ以上の範囲で、第１差分値（Ｔ０−Ｔ１）が大きくなるほど第１補正値が大きくなり、かつ、第１差分値（Ｔ０−Ｔ１）が大きくなるほど第１補正値の増加割合（傾き）が大きくなるように第１補正値を設定する。
【００４８】
その際に、補正値取得部４３１は、例えば、図４に示されるように、第１差分値（Ｔ０−Ｔ１）と第１補正値との関係を定めた第１関数ｆを用いて、第１差分値（Ｔ０−Ｔ１）から第１補正値（ｆ（Ｔ０−Ｔ１））を求める。第１関数ｆは、第１差分値（Ｔ０−Ｔ１）がゼロ以上の範囲で、一階微分ｆ’がゼロ以上となる、かつ、二階微分ｆ”がゼロ以上となる関数である。なお、第１関数ｆとしては、例えば、指数関数や、２次関数、３次関数、４次関数等を用いることができる。
【００４９】
また、補正値取得部４３１は、第１温度（Ｔ１）と、第２温度（Ｔ２）との差分値である第２差分値（Ｔ１−Ｔ２）に基づいて、第１温度を補正する補正値である第２補正値を求める。
【００５０】
補正値取得部４３１は、第２差分値（Ｔ１−Ｔ２）がゼロ以上の範囲で、第２差分値（Ｔ１−Ｔ２）が大きくなるほど第２補正値が大きくなり、かつ、第２差分値（Ｔ１−Ｔ２）が大きくなるほど第２補正値の増加割合（傾き）が小さくなるように第２補正値を設定する。
【００５１】
その際に、補正値取得部４３１は、例えば、図５に示されるように、第２差分値（Ｔ１−Ｔ２）と第２補正値との関係を定めた第２関数ｇを用いて、第２差分値（Ｔ１−Ｔ２）から第２補正値（ｇ（Ｔ１−Ｔ２））を求める。第２関数ｇは、第２差分値（Ｔ１−Ｔ２）がゼロ以上の範囲で、一階微分ｇ’がゼロ以上であり、かつ、二階微分ｇ”がゼロ以下となる関数である。例えば、体温や環境温が変動した場合、１０分〜２０分程度は過渡状態になるため、第２関数ｇは、その過渡特性を補正する。なお、第２関数ｇとしては、例えば、対数関数や平方根関数等を用いることができる。
【００５２】
なお、補正値（第１補正値及び第２補正値）の取得には、関数ｆ、ｇに代えてマップ（ルックアップテーブル）を用いてもよい。すなわち、ＥＥＰＲＯＭなど（記憶部）に、第１差分値（Ｔ０−Ｔ１）と第１補正値との関係を定めたマップ（すなわち、第１差分値（Ｔ０−Ｔ１）の格子点毎に対応する第１補正値が与えられた第１補正値マップ）を予め記憶しておき、第１差分値（Ｔ０−Ｔ１）に基づいて、この第１補正値マップを検索することにより、第１補正値を求める構成としてもよい。
【００５３】
同様に、ＥＥＰＲＯＭなど（記憶部）に、第２差分値（Ｔ１−Ｔ２）と第２補正値との関係を定めたマップ（すなわち、第２差分値（Ｔ１−Ｔ２）の格子点毎に対応する第２補正値が与えられた第２補正値マップ）を予め記憶しておき、第２差分値（Ｔ１−Ｔ２）に基づいて、この第２補正値マップを検索することにより、第２補正値を求める構成としてもよい。なお、求められた補正値（第１補正値及び第２補正値）は、深部体温取得部４３２に出力される。
【００５４】
深部体温取得部４３２は、第１温度（Ｔ１）を、第１補正値（ｆ（Ｔ０−Ｔ１））、及び、第２補正値（ｇ（Ｔ１−Ｔ２））により補正して深部体温を求める。すなわち、深部体温取得部４３２は、請求の範囲に記載の深部体温取得手段として機能する。深部体温取得部４３２は、例えば、次式（１）に基づいて、深部体温を求める。
深部体温＝第１温度（Ｔ１）＋第１補正値（ｆ（Ｔ０−Ｔ１））×第２補正値（ｇ（Ｔ１−Ｔ２））  ・・・（１）
なお、深部体温取得部４３２は、次式（２）に基づいて、深部体温を求めるようにしてもよい。
深部体温＝第１温度（Ｔ１）＋第１補正値（ｆ（Ｔ０−Ｔ１））＋第２補正値（ｇ（Ｔ１−Ｔ２））  ・・・（２）
【００５５】
ここで、実際に測定した結果の一例を図６に示す。図６は、第１温度（Ｔ１）、第２温度（Ｔ２）、深部体温（推定値）、食道温の測定結果の一例を示す図である。図６の横軸は時刻であり、縦軸は、温度（℃）である。図６の例では、１５分から１時間４５分まで高室温状況下におくとともに、３０分から１時間３０分まで歩行運動することで体温を上昇させて各温度の測定を行った。すなわち、深部体温計１を身体に貼り付けて測定すると同時に、温度センサを鼻から食道まで挿入して深部体温として認められている食道温を測定した。図６に示されるように、体温が上昇し、第１温度（Ｔ１）と第２温度（Ｔ２）との間隔が狭くなったときであっても、補正された深部体温（推定値）と食道温とが略一致しており、補正が有効に機能していることが確認された。
【００５６】
また、図６に示した深部体温（推定値）と食道温との対応する各点をプロットした図を図７に示す。図７の横軸は食道温（℃）であり、縦軸は、深部体温（推定値）（℃）である。図７に示されるように、補正された深部体温（推定値）と食道温とが、高い相間を有することが確認された。
【００５７】
以上、詳細に説明したように、本実施形態によれば、身体の体温フィードバック機構が働く限界の体温に応じて予め設定される基準温度（Ｔ０）と、貼付面側（体表面側）の第１温度（Ｔ１）との第１差分値（Ｔ０−Ｔ１）をパラメータとすることにより、例えば、体表面からの放熱が増大して第１温度（体表温）が上昇し、体表温が深部体温に近づくと、第１差分値が小さくなる。よって、その場合には、補正値を小さくすることにより、測定精度を向上することができる。一方、体表面からの放熱が減少して第１温度（体表温）が低下し、体表温が深部体温から離れると、第１差分値が大きくなる。よって、その場合には、補正値を大きくすることにより、測定精度を向上することができる。このように、汗や血流での体温調整の生理反応を考慮できるようになり、実際の体温との一致性を高めることができる。よって、比較的簡便な演算で精度よく深部体温を求めることが可能となる。
【００５８】
また、本実施形態によれば、第２差分値（Ｔ１−Ｔ２）が熱流束と相関を有するため、第２補正値（ｇ(Ｔ１−Ｔ２)）を追加することで測定精度をより向上することができる。ところで、外気温が深部体温より十分に低い場所に移動した場合（例えば外気温２０℃）、第１温度（Ｔ１）も外気温の影響で低くなる。この場合、熱流束は大きくなるため第２差分値（Ｔ１−Ｔ２）は大きくなる。また、運動等で急激な発熱（深部体温上昇）が発生した場合、熱流束が大きくなり、第２差分値（Ｔ１−Ｔ２）は大きくなる。第２差分値（Ｔ１−Ｔ２）が大きい場合には第２補正値（ｇ(Ｔ１−Ｔ２)）が大きくなることで、推定精度を向上できる。さらに、第２関数ｇを、二階微分ｇ”≦０となる関数とすることで、すなわち、第２差分値（Ｔ１−Ｔ２）が大きくなるにつれて、第２補正値（ｇ(Ｔ１−Ｔ２)）が大きくなるが、大きくなる速度が低下することで、第２差分値（Ｔ１−Ｔ２）が過剰に大きくなってしまう場合の影響を抑制することができる。
【００５９】
（第１実施形態の第１変形例）
次に、図８を用いて、第１実施形態の第１変形例に係る深部体温計１Ｂについて説明する。ここでは、上述した第１実施形態と同一・同様な構成については説明を簡略化又は省略し、異なる点を主に説明する。図８は、第１実施形態の第１変形例に係る貼付型深部体温計１Ｂを構成する処理部４１Ｂの機能構成を示すブロック図である。なお、図８において第１実施形態と同一又は同等の構成要素については同一の符号が付されている。
【００６０】
深部体温計１Ｂは、処理部４１に代えて、処理部４１Ｂを備えている点で上述した深部体温計１と異なっている。処理部４１Ｂは、補正値取得部４３１、及び、深部体温取得部４３２に代えて、補正値取得部４３１Ｂ、及び、深部体温取得部４３２Ｂを有している点で上述した処理部４１と異なっている。なお、その他の構成は、上述した深部体温計１と同一又は同様であるので、ここでは詳細な説明を省略する。
【００６１】
補正値取得部４３１Ｂは、上述した第１補正値（ｆ（Ｔ０−Ｔ１））を求める。なお、第１補正値（ｆ（Ｔ０−Ｔ１））の取得方法は上述したとおりであるので、ここでは詳細な説明を省略する。また、補正値取得部４３１Ｂは、上述した第２補正値（ｇ（Ｔ１−Ｔ２））に代えて、第４補正値を取得する。より具体的には、補正値取得部４３１Ｂは、第１温度（Ｔ１）の時間変化（微分値ΔＴ１）に基づいて、第２差分値（Ｔ１−Ｔ２）を補正する第３補正値（副補正値）をさらに求めるとともに、該第３補正値により補正された補正後の第２差分値に基づいて（すなわち、第２差分値と第３補正値とに基づいて）、第１温度Ｔ１を補正する第４補正値を求める。
【００６２】
より具体的には、補正値取得部４３１Ｂは、第１温度（Ｔ１）の単位時間当たりの上昇量（微分値ΔＴ１）が大きくなるほど第３補正値（副補正値）が大きくなるように第３補正値を設定するとともに、第３補正値により補正された補正後の第２差分値が大きくなるほど第４補正値が大きくなり、かつ、補正後の第２差分値が大きくなるほど第２補正値の増加割合（傾き）が小さくなるように第４補正値を設定する
【００６３】
例えば、まず、補正値取得部４３１Ｂは、第１温度（Ｔ１）の時間変化（微分値ΔＴ１）と第３補正値（ｋ（ΔＴ１））との関係を定めた第３関数ｋを用いて、第１温度（Ｔ１）の時間変化（微分値ΔＴ１）から第３補正値（ｋ（ΔＴ１））を求める。次に、補正値取得部４３１Ｂは、第３補正値（ｋ（ΔＴ１））により補正された補正後の第２差分値（Ｔ１−Ｔ２＋ｋ（ΔＴ１））と、第４補正値との関係を定めた第４関数ｇを用いて、補正後の第２差分値（Ｔ１−Ｔ２＋ｋ（ΔＴ１））から第４補正値（ｇ（Ｔ１−Ｔ２＋ｋ（ΔＴ１）））を求める。
【００６４】
ここで、第３関数ｋは、第１温度（Ｔ１）の単位時間当たりの上昇量（微分値ΔＴ１）の増加に対して単調増加する関数である。第３関数ｋは、例えば、深部体温計１を体表面に貼り付けた直後など、急激に温度が変化する測定開始時において有効に働き、測定精度をより向上することができる。なお、第４関数としては、上述した第２関数ｇを利用することができる。すなわち、第４関数ｇは、補正後の第２差分値がゼロ以上の範囲で、一階微分ｇ’がゼロ以上であり、かつ、二階微分ｇ”がゼロ以下となる関数である。
【００６５】
ところで、深部体温計１は熱容量を持つことから、第１温度（Ｔ１）と第２温度（Ｔ２）の温度変化にはタイムラグが発生するため、タイムラグと相関のある項ΔＴ１を式に入れることでより精度を向上することができる。例えば、外気温が上昇する場合、外気からの熱流束が増加するため第２温度（Ｔ２）が先に上昇し、その後、第１温度（Ｔ１）が上昇する（ΔＴ１＞０）。そのため第２差分値（Ｔ１−Ｔ２）の値が小さくなる。深部体温は変化していないが、第２差分値（Ｔ１−Ｔ２）の低下により推定値は低くなってしまう。そこでΔＴ１に応じて補正を行うことで推定値の低下を抑制する。補正の方法として、第１温度（Ｔ１）の時間変化ΔＴ１を使用するのは、温度変化速度が大きいほどタイムラグが大きくなるためである。これにより深部体温（推定値）の精度低下を抑制できる。一方、外気温が低下する場合、外気からの熱流束が低下するためＴ２が先に低下し、その後、第１温度（Ｔ１）が低下する（ΔＴ１＜０）。そのため、第２差分値（Ｔ１−Ｔ２）の値が大きくなる。深部体温は変化していないが、第２差分値（Ｔ１−Ｔ２）の増加により推定値は高くなってしまう。そこでΔＴ１に応じて補正を行うことで推定値の増加を抑制する。また、体温が上昇する場合、体表からの熱流束が増加するため第１温度（Ｔ１）が先に上昇し（ΔＴ１＞０）、その後、第２温度（Ｔ２）が上昇する。そのため、第２差分値（Ｔ１−Ｔ２）の値が大きくなる。しかしながら深部体温が先に上昇しているため、第２差分値（Ｔ１−Ｔ２）の増加による推定値の増加を考慮しても大きなずれは発生しない。一方、体温が低下する場合、体表からの熱流束が低下するため、第１温度（Ｔ１）が先に低下し（ΔＴ１＜０）、その後、第２温度（Ｔ２）が低下する。そのため、第２差分値（Ｔ１−Ｔ２）の値が小さくなる。しかしながら深部体温が先に低下しているため、第２差分値（Ｔ１−Ｔ２）の低下による推定値の低下を考慮しても大きなずれは発生しない。
【００６６】
なお、補正値（第３補正値及び第４補正値）の取得には、関数ｋ、ｇに代えてマップ（ルックアップテーブル）を用いてもよい。すなわち、ＥＥＰＲＯＭなど（記憶部）に、第１温度（Ｔ１）の時間変化（微分値ΔＴ１）と第３補正値との関係を定めたマップ（すなわち、第１温度（Ｔ１）の時間変化（微分値ΔＴ１）の格子点毎に対応する第３補正値が与えられた第３補正値マップ）を予め記憶しておき、第１温度（Ｔ１）の時間変化（微分値ΔＴ１）に基づいて、この第３補正値マップを検索することにより、第３補正値を求める構成としてもよい。同様に、ＥＥＰＲＯＭなど（記憶部）に、補正後の第２差分値（Ｔ１−Ｔ２＋ｋ（ΔＴ１））と第４補正値との関係を定めたマップ（すなわち、補正後の第２差分値（Ｔ１−Ｔ２＋ｋ（ΔＴ１））の格子点毎に対応する第４補正値が与えられた第４補正値マップ）を予め記憶しておき、補正後の第２差分値（Ｔ１−Ｔ２＋ｋ（ΔＴ３））に基づいて、この第４補正値マップを検索することにより、第４補正値を求める構成としてもよい。求められた補正値（第１補正値及び第４補正値）は、深部体温取得部４３２Ｂに出力される。
【００６７】
深部体温取得部４３２Ｂは、第１温度（Ｔ１）を、第１補正値（ｆ（Ｔ０−Ｔ１））、及び、第４補正値（ｇ（Ｔ１−Ｔ２＋ｋ（ΔＴ１）））により補正して深部体温を求める。例えば、深部体温取得部４３２Ｂは、次式（３）に基づいて、深部体温を求める。
深部体温＝第１温度（Ｔ１）＋第１補正値（ｆ（Ｔ０−Ｔ１））×第４補正値（ｇ（Ｔ１−Ｔ２＋ｋ（ΔＴ１）））  ・・・（３）
なお、深部体温取得部４３２Ｂは、次式（４）に基づいて、深部体温を求めるようにしてもよい。
深部体温＝第１温度（Ｔ１）＋第１補正値（ｆ（Ｔ０−Ｔ１））＋第４補正値（ｇ（Ｔ１−Ｔ２＋ｋ（ΔＴ１）））  ・・・（４）
【００６８】
本変形例によれば、深部体温計１が熱容量を持つことにより発生する第１温度（Ｔ１）と第２温度（Ｔ２）とのタイムラグ（すなわち、温度変化の遅れ）と相関を有する項ΔＴ１をさらに考慮することによって測定精度を向上することができる。
【００６９】
（第１実施形態の第２変形例）
次に、図９を用いて、第１実施形態の第２変形例に係る深部体温計１Ｃについて説明する。ここでは、上述した第１実施形態と同一・同様な構成については説明を簡略化又は省略し、異なる点を主に説明する。図９は、第１実施形態の第２変形例に係る貼付型深部体温計１Ｃを構成する処理部４１Ｃの機能構成を示すブロック図である。なお、図９において第１実施形態と同一又は同等の構成要素については同一の符号が付されている。
【００７０】
深部体温計１Ｃは、処理部４１に代えて、処理部４１Ｃを備えている点で上述した深部体温計１と異なっている。処理部４１Ｃは、補正値取得部４３１、及び、深部体温取得部４３２に代えて、補正値取得部４３１Ｃ、及び、深部体温取得部４３２Ｃを有している点で上述した処理部４１と異なっている。なお、その他の構成は、上述した深部体温計１と同一又は同様であるので、ここでは詳細な説明を省略する。
【００７１】
補正値取得部４３１Ｃは、上述した第１補正値（ｆ（Ｔ０−Ｔ１））を求める。なお、第１補正値（ｆ（Ｔ０−Ｔ１））の取得方法は上述したとおりであるので、ここでは詳細な説明を省略する。また、補正値取得部４３１Ｃは、上述した第２補正値（ｇ（Ｔ１−Ｔ２））に代えて、第５補正値を取得する。より具体的には、補正値取得部４３１Ｃは、基準温度（Ｔ０）と、第２温度（Ｔ２）との差分値である第３差分値（Ｔ０−Ｔ２）に基づいて、第１温度Ｔ１を補正する補正値である第５補正値を求める。
【００７２】
例えば、補正値取得部４３１Ｃは、第３差分値（Ｔ０−Ｔ２）がゼロ以上の範囲で、第３差分値（Ｔ０−Ｔ２）が大きくなるほど第５補正値が大きくなり、かつ、第３差分値（Ｔ０−Ｔ２）が大きくなるほど第５補正値の増加割合（傾き）が小さくなるように第５補正値を設定する
【００７３】
より具体的には、補正値取得部４３１Ｃは、第３差分値（Ｔ０−Ｔ２）と第５補正値との関係を定めた第５関数ｇを用いて、第３差分値（Ｔ０−Ｔ２）から第５補正値を求める。なお、第５関数としては、上述した第２関数ｇを利用することができる。すなわち、第５関数ｇは、第３差分値（Ｔ０−Ｔ２）がゼロ以上の範囲で、一階微分ｇ’がゼロ以上となり、かつ、二階微分ｇ”がゼロ以下となる関数である。
【００７４】
なお、補正値（第５補正値）の取得には、関数ｇに代えてマップ（ルックアップテーブル）を用いてもよい。すなわち、ＥＥＰＲＯＭなど（記憶部）に、第３差分値（Ｔ０−Ｔ２）と第５補正値との関係を定めたマップ（すなわち、第３差分値（Ｔ０−Ｔ２）の格子点毎に対応する第５補正値が与えられた第５補正値マップ）を予め記憶しておき、第３差分値（Ｔ０−Ｔ２）に基づいて、この第５補正値マップを検索することにより、第５補正値を求める構成としてもよい。なお、求められた補正値（第１補正値及び第５補正値）は、深部体温取得部４３２Ｃに出力される。
【００７５】
深部体温取得部４３２Ｃは、第１温度（Ｔ１）を、第１補正値（ｆ（Ｔ０−Ｔ１））、及び、第５補正値（ｇ（Ｔ０−Ｔ２））により補正して深部体温を求める。例えば、深部体温取得部４３２Ｃは、次式（５）に基づいて、深部体温を求める。
深部体温＝第１温度（Ｔ１）＋第１補正値（ｆ（Ｔ０−Ｔ１））×第５補正値（ｇ（Ｔ０−Ｔ２））  ・・・（５）
なお、深部体温取得部４３２Ｃは、次式（６）に基づいて、深部体温を求めるようにしてもよい。
深部体温＝第１温度（Ｔ１）＋第１補正値（ｆ（Ｔ０−Ｔ１））＋第５補正値（ｇ（Ｔ０−Ｔ２））  ・・・（６）
【００７６】
本変形例によれば、第２差分値（Ｔ１−Ｔ２）に代えて第３差分値（Ｔ０−Ｔ２）を用いることで、熱流束が小さい場合（すなわち、第１温度（Ｔ１）と第２温度（Ｔ２）との温度差が小さい場合）であっても精度よく深部体温を推定することができる。
【００７７】
（第１実施形態の第３変形例）
次に、図１０を用いて、第１実施形態の第３変形例に係る深部体温計１Ｄについて説明する。ここでは、上述した第１実施形態と同一・同様な構成については説明を簡略化又は省略し、異なる点を主に説明する。図１０は、第１実施形態の第３変形例に係る貼付型深部体温計１Ｄを構成する処理部４１Ｄの機能構成を示すブロック図である。なお、図１０において第１実施形態と同一又は同等の構成要素については同一の符号が付されている。
【００７８】
深部体温計１Ｄは、処理部４１に代えて、処理部４１Ｄを備えている点で上述した深部体温計１と異なっている。処理部４１Ｄは、補正値取得部４３１、及び、深部体温取得部４３２に代えて、補正値取得部４３１Ｄ、及び、深部体温取得部４３２Ｄを有している点で上述した処理部４１と異なっている。なお、その他の構成は、上述した深部体温計１と同一又は同様であるので、ここでは詳細な説明を省略する。
【００７９】
補正値取得部４３１Ｄは、上述した第１補正値に代えて、第７補正値を求める。より具体的には、補正値取得部４３１Ｄは、第１温度（Ｔ１）の時間変化（微分値ΔＴ１）に基づいて、第１差分値（Ｔ０−Ｔ１）を補正する第６補正値（副補正値）を求めるとともに、該第６補正値により補正された補正後の第１差分値に基づいて（第１差分値と第６補正値とに基づいて）、第１温度を補正する第７補正値を求める。また、補正値取得部４３１Ｄは、上述した第２補正値に代えて、第９補正値を求める。より具体的には、また、補正値取得部４３１Ｄは、第２温度（Ｔ２）の時間変化（微分値ΔＴ２）に基づいて、第３差分値（Ｔ０−Ｔ２）を補正する第８補正値（副補正値）を求めるとともに、該第８補正値により補正された補正後の第３差分値に基づいて（第３差分値と第８補正値とに基づいて）、第１温度を補正する第９補正値を求める。
【００８０】
より詳細には、補正値取得部４３１Ｄは、第１温度（Ｔ１）の単位時間当たりの上昇量（微分値ΔＴ１）が大きくなるほど第６補正値（副補正値）が大きくなるように第６補正値を設定するとともに、第６補正値により補正された補正後の第１差分値が大きくなるほど第７補正値が大きくなり、かつ、補正後の第１差分値が大きくなるほど第７補正値の増加割合（傾き）が大きくなるように第７補正値を設定する。また、補正値取得部４３１Ｄは、第２温度（Ｔ２）の単位時間当たりの上昇量（微分値ΔＴ２）が大きくなるほど第８補正値（副補正値）が大きくなるように第８補正値を設定するとともに、第８補正値により補正された補正後の第３差分値が大きくなるほど第９補正値が大きくなり、かつ、補正後の第３差分値が大きくなるほど第９補正値の増加割合（傾き）が小さくなるように第９補正値を設定する。
【００８１】
例えば、補正値取得部４３１Ｄは、第１温度（Ｔ１）の時間変化（微分値ΔＴ１）と第６補正値（ｈ（ΔＴ１））との関係を定めた第６関数ｈを用いて、第１温度（Ｔ１）の時間変化（微分値ΔＴ１）から第６補正値（ｈ（ΔＴ１））を求めるとともに、第６補正値（ｈ（ΔＴ１））により補正された補正後の第１差分値（Ｔ０−Ｔ１＋ｈ（ΔＴ１））と第７補正値との関係を定めた第７関数ｆを用いて、補正後の第１差分値（Ｔ０−Ｔ１＋ｈ（ΔＴ１））から第７補正値（ｆ（Ｔ０−Ｔ１＋ｈ（ΔＴ１）））を求める。また、補正値取得部４３１Ｄは、第２温度（Ｔ２）の時間変化（微分値ΔＴ２）と第８補正値（ｋ（ΔＴ２））との関係を定めた第８関数ｋを用いて、第２温度（Ｔ２）の時間変化（微分値ΔＴ２）から第８補正値（ｋ（ΔＴ２））を求めるとともに、第８補正値（ｋ（ΔＴ２））により補正された補正後の第３差分値（Ｔ０−Ｔ２＋ｋ（ΔＴ２））と第９補正値との関係を定めた第９関数ｇを用いて、補正後の第３差分値（Ｔ０−Ｔ２＋ｋ（ΔＴ２））から第９補正値（ｇ（Ｔ０−Ｔ２＋ｋ（ΔＴ２）））を求める。
【００８２】
ここで、第６関数ｈは、第１温度（Ｔ１）の単位時間当たりの上昇量（微分値ΔＴ１）の増加に対して単調増加する関数である。同様に、第８関数ｋは、第２温度（Ｔ２）の単位時間当たりの上昇量（微分値ΔＴ２）の増加に対して単調増加する関数である。なお、第７関数としては、上述した第１関数ｆを利用することができる。また、第９関数としては、上述した第２関数ｇを利用することができる。
【００８３】
なお、補正値（第６，７補正値）の取得には、関数（演算式）ｈ，ｆに代えてマップ（ルックアップテーブル）を用いてもよい。すなわち、ＥＥＰＲＯＭなど（記憶部）に、第１温度（Ｔ１）の時間変化（微分値ΔＴ１）と第６補正値との関係を定めたマップ（すなわち、第１温度（Ｔ１）の時間変化（微分値ΔＴ１）の格子点毎に対応する第６補正値が与えられた第６補正値マップ）を予め記憶しておき、第１温度（Ｔ１）の時間変化（微分値ΔＴ１）に基づいて、この第６補正値マップを検索することにより、第６補正値を求める構成としてもよい。そして、ＥＥＰＲＯＭなど（記憶部）に、補正後の第１差分値と第７補正値との関係を定めたマップ（すなわち、補正後の第１差分値の格子点毎に対応する第７補正値が与えられた第７補正値マップ）を予め記憶しておき、補正後の第１差分値に基づいて、この第７補正値マップを検索することにより、第７補正値を求める構成としてもよい。
【００８４】
同様に、補正値（第８，９補正値）の取得には、関数（演算式）ｋ，ｇに代えてマップ（ルックアップテーブル）を用いてもよい。すなわち、ＥＥＰＲＯＭなど（記憶部）に、第２温度（Ｔ２）の時間変化（微分値ΔＴ２）と第８補正値との関係を定めたマップ（すなわち、第２温度（Ｔ２）の時間変化（微分値ΔＴ２）の格子点毎に対応する第８補正値が与えられた第８補正値マップ）を予め記憶しておき、第２温度（Ｔ２）の時間変化（微分値ΔＴ２）に基づいて、この第８補正値マップを検索することにより、第８補正値を求める構成としてもよい。そして、ＥＥＰＲＯＭなど（記憶部）に、補正後の第３差分値と第９補正値との関係を定めたマップ（すなわち、補正後の第３差分値の格子点毎に対応する第９補正値が与えられた第９補正値マップ）を予め記憶しておき、補正後の第３差分値に基づいて、この第９補正値マップを検索することにより、第９補正値を求める構成としてもよい。求められた補正値（第７補正値及び第９補正値）は、深部体温取得部４３２Ｄに出力される。
【００８５】
深部体温取得部４３２Ｄは、第１温度（Ｔ１）を、第７補正値（ｆ（Ｔ０−Ｔ１＋ｈ（ΔＴ１）））、及び、第９補正値（ｇ（Ｔ０−Ｔ２＋ｋ（ΔＴ２）））により補正して深部体温を求める。例えば、深部体温取得部４３２Ｄは、次式（７）に基づいて、深部体温を求める。
深部体温＝第１温度（Ｔ１）＋第７補正値（ｆ（Ｔ０−Ｔ１＋ｈ（ΔＴ１）））×第９補正値（ｇ（Ｔ０−Ｔ２＋ｋ（ΔＴ２）））  ・・・（７）
なお、深部体温取得部４３２Ｄは、次式（８）に基づいて、深部体温を求めるようにしてもよい。
深部体温＝第１温度（Ｔ１）＋第７補正値（ｆ（Ｔ０−Ｔ１＋ｈ（ΔＴ１）））＋第９補正値（ｇ（Ｔ０−Ｔ２＋ｋ（ΔＴ２）））  ・・・（８）
【００８６】
本変形例によれば、深部体温計１が熱容量を持つことにより発生する第１温度（Ｔ１）と第２温度（Ｔ２）とのタイムラグ（すなわち、温度変化の遅れ）と相関を有する項ΔＴ２をさらに考慮することにより測定精度を向上することができる。よって、深部体温との相間をさらに高めることができる。
【００８７】
（第１実施形態の第４変形例）
次に、図１１を用いて、第１実施形態の第４変形例に係る深部体温計１Ｅについて説明する。ここでは、上述した第１実施形態と同一・同様な構成については説明を簡略化又は省略し、異なる点を主に説明する。図１１は、第１実施形態の第４変形例に係る貼付型深部体温計１Ｅを構成する処理部４１Ｅの機能構成を示すブロック図である。なお、図１１において第１実施形態と同一又は同等の構成要素については同一の符号が付されている。
【００８８】
深部体温計１Ｅは、処理部４１に代えて、処理部４１Ｅを備えている点で上述した深部体温計１と異なっている。処理部４１Ｅは、補正値取得部４３１、及び、深部体温取得部４３２に代えて、補正値取得部４３１Ｅ、及び、深部体温取得部４３２Ｅを有している点で上述した処理部４１と異なっている。なお、その他の構成は、上述した深部体温計１と同一又は同様であるので、ここでは詳細な説明を省略する。
【００８９】
補正値取得部４３１Ｅは、２組のセンシング部それぞれ、すなわち、第１熱抵抗体３０１、第１温度センサ７０１（Ｔ１）、第２温度センサ７０２（Ｔ２）を有するセンシング部、及び、第２熱抵抗体３０２、第３温度センサ７０３（Ｔ３）、第４温度センサ７０４（Ｔ４）を有するセンシングそれぞれについて、上述した補正値を取得する。なお、上述したいずれの補正値（補正方法）を採用してもよい。また、各補正値の求め方は上述したとおりであるので、ここでは詳細な説明を省略する。取得された補正値は深部体温取得部４３２Ｅに出力される。
【００９０】
深部体温取得部４３２Ｅは、２組のセンシング部それぞれについて、補正値を用いて、２組の仮の深部体温（推定値）を求める。なお、上述したいずれの深部体温の求め方を採用してもよい。また、深部体温の求め方は上述したとおりであるので、ここでは詳細な説明を省略する。また、深部体温取得部４３２Ｅは、該２組の仮の深部体温に基づいて、深部体温を決定するとともに、該深部体温の確からしさを求める。
【００９１】
すなわち、深部体温取得部４３２Ｅは、第１温度（Ｔ１）と第２温度（Ｔ２）、及び、第３温度（Ｔ３）と第４温度（Ｔ４）それぞれから深部体温を推定し、それぞれの深部体温（推定値）から深部体温を決定するとともに、該深部体温の確からしさを判定する。ところで、例えば、大量の汗や体毛により、深部体温計１が体表面に密着していない場合など、貼り付け状態が悪い場合には、深部体温（推定値）の推定精度が低下する。そのため、深部体温取得部４３２Ｅは、２組の推定温を算出して、比較し、その差が大きくなると推定温の確からしさが低いと判定する。また、外気温が体温（体表温）より低い場合、すなわち、通常は、Ｔ１＞Ｔ３＞Ｔ４≒Ｔ２の温度順になるため、この順番が入れ替わった場合に、確からしさが低いと判定してもよい。例えば、Ｔ３＞Ｔ１＞Ｔ４≒Ｔ２となった場合に、深部体温取得部４３２Ｅは、第１温度（Ｔ１）と第２温度（Ｔ２）を用いた推定温の確からしさが低いと判定する。また、貼り付け状態が悪く体表面に密着していない場合には第１温度（Ｔ１）、第３温度（Ｔ３）の時間による変動が大きくなることから、第１温度（Ｔ１）、第３温度（Ｔ３）の一定時間内の変動量が所定の値を超えた場合に確からしさが低いと判定してもよい。なお、確からしさが低いと判定された場合には、例えば、無線通信部４０３を用いて、その旨を、使用者等に通知することが好ましい。また、例えば、制御用の端末に表示することにより、又は、音声やバイブレーションなどで通知することが好ましい。また、深部体温取得部４３２Ｅは、２つの推定値を処理して推定温を決定することで推定温の精度を向上できる。ここで、深部体温計１の貼り付け状態が悪いと推定温が低下するため、２つの推定温のうち大きい方の値を選択することが望ましいが、平均、重み付け平均などを用いてもよい。外気温が体温（体表温）より高い場合には逆に貼り付け状態が悪いと推定温が高くなるため、外気温が体温（体表温）より高い場合には小さい方の値を選択する。なお、外気温が体温（体表温）より高いかどうかは外気温測定用の温度センサを付加して判定してもよいが、Ｔ１−Ｔ２が負かどうかで判定する方法が望ましい。
【００９２】
ここで、実際に測定した結果の一例を図１３に示す。図１３は、第１温度（Ｔ１）、第２温度（Ｔ２）、第３温度（Ｔ３）、第４温度（Ｔ４）深部体温（推定値）、食道温の測定結果の一例を示す図である。図１３の横軸は時刻であり、縦軸は、温度（℃）である。図１３の例では、１５分から１時間４５分まで高室温状況下におくとともに、３０分から１時間３０分まで歩行運動することで体温を上昇させて各温度の測定を行った。すなわち、深部体温計１Ｅを身体に貼り付けて測定すると同時に、温度センサを鼻から食道まで挿入して深部体温として認められている食道温を測定した。図１３に示されるように、体温が上昇し、第１温度（Ｔ１）と第２温度（Ｔ２）との間隔、第３温度（Ｔ３）と第４温度（Ｔ４）との間隔が狭くなったときであっても、補正された深部体温（推定値）と食道温とがよく一致しており、補正が非常に有効に機能していることが確認された。なお、上述した図６や後述する図１４に示される測定結果（特に図中の破線で示された楕円箇所）と比較して、補正された深部体温（推定値）と食道温とがよく一致することが確認された。
【００９３】
本変形例によれば、２つの深部体温（推定値）を算出し、双方の比較を行うことで推定温の確からしさを判定することができる。また、確からしさが低い場合には使用者に通知することができる。さらに、２つの推定値を処理（例えば、平均、最大値、最小値、重み付け平均）して深部体温（推定温）を決定することで深部体温（推定温）の推定精度を向上することができる。
【００９４】
（第２実施形態）
次に、図１２を用いて、第２実施形態に係る深部体温計１Ｆについて説明する。ここでは、上述した第１実施形態と同一・同様な構成については説明を簡略化又は省略し、異なる点を主に説明する。図１２は、第２実施形態に係る貼付型深部体温計１Ｆを構成する処理部４１Ｆの機能構成を示すブロック図である。なお、図１２において第１実施形態と同一又は同等の構成要素については同一の符号が付されている。
【００９５】
深部体温計１Ｆは、第１温度（Ｔ１）のみから深部体温を取得する。そのため、深部体温計１Ｆは、処理部４１に代えて、処理部４１Ｆを備えている点で上述した深部体温計１と異なっている。処理部４１Ｆは、補正値取得部４３１、及び、深部体温取得部４３２に代えて、補正値取得部４３１Ｆ、及び、深部体温取得部４３２Ｆを有している点で上述した処理部４１と異なっている。なお、その他の構成は、上述した深部体温計１と同一又は同様であるので、ここでは詳細な説明を省略する。
【００９６】
補正値取得部４３１Ｆは、身体の体温フィードバック機構が働く限界の体温（例えば、体温計として取り得る最大の体温）に応じて予め設定される基準温度（Ｔ０）と、第１温度（Ｔ１）との差分値である第１差分値（減算値）に基づいて、第１温度を補正する補正値である第１補正値を求める。すなわち、補正値取得部４３１Ｆは、請求の範囲に記載の補正値取得手段として機能する。
【００９７】
補正値取得部４３１Ｆは、第１差分値（Ｔ０−Ｔ１）がゼロ以上の範囲で、第１差分値（Ｔ０−Ｔ１）が大きくなるほど第１補正値が大きくなり、かつ、第１差分値（Ｔ０−Ｔ１）が大きくなるほど第１補正値の増加割合（傾き）が大きくなるように第１補正値を設定する。なお、基準温度（Ｔ０）の設定方法については上述したとおりであるので、ここでは詳細な説明を省略する。
【００９８】
その際に、補正値取得部４３１Ｆは、例えば、第１差分値（Ｔ０−Ｔ１）と第１補正値との関係を定めた第１関数ｆを用いて、第１差分値（Ｔ０−Ｔ１）から第１補正値を求める。上述したように、第１関数ｆは、第１差分値（Ｔ０−Ｔ１）がゼロ以上の範囲で、一階微分ｆ’がゼロ以上となり、かつ、二階微分ｆ”がゼロ以上となる関数である。
【００９９】
なお、補正値（第１補正値）の取得には、関数（演算式）ｆに代えてマップ（ルックアップテーブル）を用いてもよい。すなわち、ＥＥＰＲＯＭなど（記憶部）に、第１差分値（Ｔ０−Ｔ１）と第１補正値との関係を定めたマップ（すなわち、第１差分値（Ｔ０−Ｔ１）の格子点毎に対応する第１補正値が与えられた第１補正値マップ）を予め記憶しておき、第１差分値（Ｔ０−Ｔ１）に基づいて、この第１補正値マップを検索することにより、第１補正値を求める構成としてもよい。求められた第１補正値は、深部体温取得部４３２Ｆに出力される。
【０１００】
深部体温取得部４３２Ｆは、第１温度（Ｔ１）を、第１補正値（ｆ（Ｔ０−Ｔ１））により補正して深部体温を求める（推定）する。深部体温取得部４３２Ｆは、請求の範囲に記載の深部体温取得手段として機能する。例えば、深部体温取得部４３２Ｆは、次式（９）に基づいて、深部体温を求める。
深部体温＝第１温度（Ｔ１）＋第１補正値（ｆ（Ｔ０−Ｔ１））  ・・・（９）
【０１０１】
ここで、実際に測定した結果の一例を図１４に示す。図１４は、第１温度（Ｔ１）、深部体温（推定値）、食道温の測定結果の一例を示す図である。図１４の横軸は時刻であり、縦軸は、温度（℃）である。図１４の例では、１５分から１時間４５分まで高室温状況下におくとともに、３０分から１時間３０分まで歩行運動することで体温を上昇させて各温度の測定を行った。すなわち、深部体温計１Ｆを身体に貼り付けて測定すると同時に、温度センサを鼻から食道まで挿入して深部体温として認められている食道温を測定した。図１４に示されるように、体温が上昇したときであっても、補正された深部体温（推定値）と食道温とが略一致しており、補正が有効に機能していることが確認された。なお、上述した図１３に示された測定結果と比較した場合、図中の破線で示された楕円箇所において若干ずれが大きくなるものの、補正された深部体温（推定値）と食道温とが略一致することが確認された。
【０１０２】
また、図１４に示した深部体温（推定値）と食道温との対応する各点をプロットした図を図１５に示す。図１５の横軸は食道温（℃）であり、縦軸は、深部体温（推定値）（℃）である。図１５に示されるように、補正された深部体温（推定値）と食道温とが、よい相間を有することが確認された。
【０１０３】
本実施形態によれば、汗や血流での体温調整の生理反応を考慮できるようになり、実際の深部体温との一致性を高めることができる。よって、比較的簡便な演算により精度よく深部体温を求めることができる。
【０１０４】
以上、本発明の実施の形態について説明したが、本発明は、上記実施形態に限定されるものではなく種々の変形が可能である。例えば、上記第１実施形態、及び、第１実施形態の変形例１〜３では、第２熱抵抗体３０２、第３温度センサ７０３、第４温度センサ７０４を備えていなくてもよい。また、上記第２実施形態では、第２熱抵抗体３０２、第１温度センサ７０１、第３温度センサ７０３、第４温度センサ７０４を備えていなくてもよい。
【０１０５】
また、補正に利用される関数（演算式）は、上記実施形態又は変形例に限られることなく、他の関数（演算式）を用いてもよい。例えば、３次関数、指数関数、ｓｉｎ関数（０〜４５°）などを用いてもよい。
【０１０６】
なお、上記実施形態では、補正値の取得や深部体温の演算等の処理を、内部の処理部４１（演算処理部４３）で行ったが、取得した温度データを、例えば、外部のサーバや携帯機器（スマートフォン等）に無線で送信し、サーバや携帯機器側で、補正値の取得や深部体温の演算等を行う構成としてもよい。そのような場合、上述した関数やマップなどのデータは、演算用のライブラリとしてサーバや携帯機器側のメモリに記憶される。
【符号の説明】
【０１０７】
１  深部体温計
１０  上外装体
１５  体温測定部
２０  下外装体
３０  熱抵抗体層
３０１  第１熱抵抗体
３０２  第２熱抵抗体
３０１ａ，３０２ａ  貫通孔
４０，４０Ｆ  配線基板
４１，４１Ｂ，４１Ｃ，４１Ｄ，４１Ｅ，４１Ｆ  処理部（処理回路）
４２，４２Ｆ  温度入力部（温度入力回路）
４３，４３Ｂ，４３Ｃ，４３Ｄ，４３Ｅ，４３Ｆ  演算処理部（演算処理回路）
４３１，４３１Ｂ，４３１Ｃ，４３１Ｄ，４３１Ｅ，４３１Ｆ  補正値取得部
４３２，４３２Ｂ，４３２Ｃ，４３２Ｄ，４３２Ｅ，４３２Ｆ  深部体温取得部
４０３  無線通信部
４０７  ＦＰＣコネクタ
５０  フレキシブル基板
６０  貼付部材
６０１  第１接着層
６０２  第２接着層
６０３  通気層
６０ａ，６０ｂ  貫通孔
７０１，７０２，７０３，７０４  温度センサ
８０  内張り部材
８０ａ  貫通孔
９０  緩衝部材
９０ａ  貫通孔
【図１】
2020100815.tif 000003
【図２】
2020100815.tif 000004
【図３】
2020100815.tif 000005
【図４】
2020100815.tif 000006
【図５】
2020100815.tif 000007
【図６】
2020100815.tif 000008
【図７】
2020100815.tif 000009
【図８】
2020100815.tif 000010
【図９】
2020100815.tif 000011
【図１０】
2020100815.tif 000012
【図１１】
2020100815.tif 000013
【図１２】
2020100815.tif 000014
【図１３】
2020100815.tif 000015
【図１４】
2020100815.tif 000016
【図１５】
2020100815.tif 000017
【国際調査報告】
2020100815.tif 000018
2020100815.tif 000019
2020100815.tif 000020
2020100815.tif 000021